【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
撮影感度に対応した動作を行う光電変換装置であって、
画素と、前記画素で生じた信号に基づくアナログ信号を出力するアナログ信号出力部と、
ランプ信号と前記アナログ信号出力部から出力されたアナログ信号とを比較することでＡＤ変換を行うＡＤ変換器と、を備え、
前記撮影感度が第１の撮影感度である第１の場合において、
前記ＡＤ変換器は、前記アナログ信号が第１の大きさの場合には、第１の傾きの第１のランプ信号を用いて前記アナログ信号をｐビットのデジタル信号にＡＤ変換し、
前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、
前記撮影感度が前記第１の撮影感度とは異なる第２の撮影感度である第２の場合において、
前記ＡＤ変換器は、前記アナログ信号が前記第１の大きさの場合、および前記アナログ信号が前記第２の大きさの場合に、第３の傾きの第３のランプ信号を用いて前記アナログ信号をＡＤ変換すること
を特徴とする光電変換装置。
【請求項２】
光電変換装置であって、
画素と、前記画素で生じた信号に基づくアナログ信号を出力するアナログ信号出力部と、
ランプ信号と前記アナログ信号出力部から出力されたアナログ信号とを比較することでＡＤ変換を行うＡＤ変換器と、
前記光電変換装置の外部から出力される制御信号を受信する信号受信部とを備え、
前記信号受信部が、第１の撮影感度に対応する動作を前記光電変換装置に指示する前記制御信号を受信した第１の場合において、
前記ＡＤ変換器は、前記アナログ信号が第１の大きさの場合には、第１の傾きの第１のランプ信号を用いて前記アナログ信号をｐビットのデジタル信号にＡＤ変換し、
前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、
前記信号受信部が、前記第１の撮影感度とは異なる第２の撮影感度に対応する動作を前記光電変換装置に指示する前記制御信号を受信した第２の場合において、
前記ＡＤ変換器は、前記アナログ信号が前記第１の大きさの場合、および前記アナログ信号が前記第２の大きさの場合に、第３の傾きの第３のランプ信号を用いて前記アナログ信号をＡＤ変換すること
を特徴とする光電変換装置。
【請求項３】
前記第２の撮影感度が、前記第１の撮影感度より高く、
前記第３の傾きは、前記第１の傾きである、または、前記第１の傾きよりも小さいこと
を特徴とする請求項１または２に記載の光電変換装置。
【請求項４】
前記第２の撮影感度が、前記第１の撮影感度のｎ倍の撮影感度であって、
前記第３の傾きは、前記第１の傾きの１／ｎ倍であること
を特徴とする請求項３に記載の光電変換装置。
【請求項５】
前記第２の撮影感度が、前記第１の撮影感度のｎ倍の撮影感度であって、
前記第３のランプ信号が、前記第１および第２のランプ信号のうちの変化率のより小さい方である場合、
前記第１の傾きは、前記第２の傾きの１／ｎ倍であること
を特徴とする請求項３に記載の光電変換装置。
【請求項６】
前記第２の撮影感度が、前記第１の撮影感度より低く、
前記第３の傾きは、前記第２の傾きである、または、前記第２の傾きよりも大きいこと
を特徴とする請求項１または２に記載の光電変換装置。
【請求項７】
前記第２の撮影感度が、前記第１の撮影感度の１／ｎ倍の撮影感度であって、
前記第３の傾きは、前記第２の傾きのｎ倍であること
を特徴とする請求項６に記載の光電変換装置。
【請求項８】
前記第２の撮影感度が、前記第１の撮影感度の１／ｎ倍の撮影感度であって、
前記第３の傾きが、前記第２の傾きである場合、
前記第２の傾きは前記第１の傾きのｎ倍であること
を特徴とする請求項６に記載の光電変換装置。
【請求項９】
撮影感度に対応した動作を行う光電変換装置であって、
画素と、前記画素で生じた信号に基づくアナログ信号を出力するアナログ信号出力部と、
ランプ信号と前記アナログ信号出力部から出力されたアナログ信号とを比較することでＡＤ変換を行うＡＤ変換器と、を備え、
前記撮影感度が第１の撮影感度である第１の場合において、
前記ＡＤ変換器は、前記アナログ信号が第１の大きさの場合には、第１の傾きの第１のランプ信号を用いて前記アナログ信号をｐビットのデジタル信号にＡＤ変換し、
前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、
前記撮影感度が前記第１の撮影感度とは異なる第２の撮影感度である第２の場合において、
前記ＡＤ変換器は、前記アナログ信号が前記第１の大きさの場合には、第３の傾きの第３のランプ信号を用いて前記アナログ信号をＡＤ変換し、
前記ＡＤ変換器は、前記アナログ信号が前記第２の大きさの場合には、前記第３の傾きよりも大きい第４の傾きの第４のランプ信号を用いて前記アナログ信号をＡＤ変換し、
前記第１の傾きと前記第３の傾きが異なる、あるいは、前記第２の傾きと前記第４の傾きが異なることを特徴とする光電変換装置。
【請求項１０】
前記第１の傾きと前記第３の傾きが異なるとともに、前記第２の傾きと前記第４の傾きが異なることを特徴とする請求項９に記載の光電変換装置。
【請求項１１】
前記第２の撮影感度が、前記第１の撮影感度より高く、
前記第３の傾きは、前記第１の傾きと前記第２の傾きの間の傾きであり、
前記第４の傾きは、前記第１の傾きであること
を特徴とする請求項９または１０に記載の光電変換装置。
【請求項１２】
前記第２の撮影感度が前記第１の撮影感度のｎ倍の撮影感度であって、
前記第４の傾きは、前記第１の傾きの１／ｎ倍であること
を特徴とする請求項１１に記載の光電変換装置。
【請求項１３】
前記第２の撮影感度が、前記第１の撮影感度より低く、
前記第３の傾きは、前記第１の傾き、あるいは、前記第１の傾きと前記第２の傾きの間の傾きであり、
前記第４の傾きは、前記第２の傾きよりも大きいこと
を特徴とする請求項９または１０に記載の光電変換装置。
【請求項１４】
前記第２の撮影感度が前記第１の撮影感度の１／ｎ倍の撮影感度であって、
前記第４の傾きは、前記第２の傾きのｎ倍であること
を特徴とする請求項１３に記載の光電変換装置。
【請求項１５】
前記ＡＤ変換器の各々は、
クロック信号をカウントしてカウント信号を出力するカウンタと、
アナログ信号と前記ランプ信号との大小関係が変化することに応じて、前記カウント信号を保持するメモリと、をさらに備え、
前記クロックは、前記アナログ信号を
前記ｐビットのデジタル信号に変換する場合よりも、前記ｑビットのデジタル信号に変換する場合の方が、低い周波数であること
を特徴とする請求項１乃至１４のいずれかに記載の光電変換装置。
【請求項１６】
前記ＡＤ変換器の各々は、逐次比較方式により前記アナログ信号をＡＤ変換し、前記逐次比較方式のＡＤ変換によって得られたデジタル信号の最下位ビットに相当する下位アナログ信号を、前記ランプ信号を用いてＡＤ変換すること
を特徴とする請求項１乃至１５のいずれかに記載の光電変換装置。
【請求項１７】
前記第１の傾きと前記第２の傾きとの、理想比に対する誤差を補正する補正部をさらに備えることを特徴とする請求項１乃至１６のいずれかに記載の光電変換装置。
【請求項１８】
前記ＡＤ変換器がＡＤ変換を行う期間において、前記第１のランプ信号は、前記第２のランプ信号よりも長い期間、信号レベルが変化すること
を特徴とする請求項１乃至１７のいずれかに記載の光電変換装置。
【請求項１９】
請求項１乃至１８のいずれかに記載の光電変換装置と、
前記画素に像を形成する光学系と、
前記光電変換装置から出力された信号を処理して画像データを生成する映像信号処理部と、を備えたこと
を特徴とする撮像システム。
【請求項２０】
感度選択部をさらに備え、
前記感度選択部によって前記光電変換装置の撮影感度が選択されること
を特徴とする請求項１９に記載の撮像システム。
【手続補正２】
【補正対象書類名】明細書
【補正対象項目名】０００８
【補正方法】変更
【補正の内容】
【０００８】
本発明の一の側面である光電変換装置は、撮影感度に対応した動作を行う光電変換装置であって、画素と、前記画素で生じた信号に基づくアナログ信号を出力するアナログ信号出力部と、ランプ信号と前記アナログ信号出力部から出力されたアナログ信号とを比較することでＡＤ変換を行うＡＤ変換器と、を備え、前記撮影感度が第１の撮影感度である第１の場合において、前記ＡＤ変換器は、前記アナログ信号が第１の大きさの場合には、第１の傾きの第１のランプ信号を用いて前記アナログ信号をｐビットのデジタル信号にＡＤ変換し、前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、前記撮影感度が前記第１の撮影感度とは異なる第２の撮影感度である第２の場合において、前記ＡＤ変換器は、前記アナログ信号が前記第１の大きさの場合、および前記アナログ信号が前記第２の大きさの場合に、第３の傾きの第３のランプ信号を用いて前記アナログ信号をＡＤ変換することを特徴とする。
【手続補正３】
【補正対象書類名】明細書
【補正対象項目名】０００９
【補正方法】変更
【補正の内容】
【０００９】
本発明の別の一の側面である光電変換装置は、光電変換装置であって、画素と、前記画素で生じた信号に基づくアナログ信号を出力するアナログ信号出力部と、ランプ信号と前記アナログ信号出力部から出力されたアナログ信号とを比較することでＡＤ変換を行うＡＤ変換器と、前記光電変換装置の外部から出力される制御信号を受信する信号受信部とを備え、前記信号受信部が、第１の撮影感度に対応する動作を前記光電変換装置に指示する前記制御信号を受信した第１の場合において、前記ＡＤ変換器は、前記アナログ信号が第１の大きさの場合には、第１の傾きの第１のランプ信号を用いて前記アナログ信号をｐビットのデジタル信号にＡＤ変換し、前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、前記信号受信部が、前記第１の撮影感度とは異なる第２の撮影感度に対応する動作を前記光電変換装置に指示する前記制御信号を受信した第２の場合において、前記ＡＤ変換器は、前記アナログ信号が前記第１の大きさの場合、および前記アナログ信号が前記第２の大きさの場合に、第３の傾きの第３のランプ信号を用いて前記アナログ信号をＡＤ変換することを特徴とする。
【手続補正４】
【補正対象書類名】明細書
【補正対象項目名】００１０
【補正方法】変更
【補正の内容】
【００１０】
本発明の別の一の側面である光電変換装置は、撮影感度に対応した動作を行う光電変換装置であって、画素と、前記画素で生じた信号に基づくアナログ信号を出力するアナログ信号出力部と、ランプ信号と前記アナログ信号出力部から出力されたアナログ信号とを比較することでＡＤ変換を行うＡＤ変換器と、を備え、前記撮影感度が第１の撮影感度である第１の場合において、
前記ＡＤ変換器は、前記アナログ信号が第１の大きさの場合には、第１の傾きの第１のランプ信号を用いて前記アナログ信号をｐビットのデジタル信号にＡＤ変換し、前記ＡＤ変換器は、前記アナログ信号が前記第１の大きさよりも振幅が大きい第２の大きさの場合には、前記第１の傾きよりも大きい第２の傾きの第２のランプ信号を用いて前記アナログ信号を前記ｐビットよりも少ないｑビットのデジタル信号にＡＤ変換し、前記撮影感度が前記第１の撮影感度とは異なる第２の撮影感度である第２の場合において、前記ＡＤ変換器は、前記アナログ信号が前記第１の大きさの場合には、第３の傾きの第３のランプ信号を用いて前記アナログ信号をＡＤ変換し、前記ＡＤ変換器は、前記アナログ信号が前記第２の大きさの場合には、前記第３の傾きよりも大きい第４の傾きの第４のランプ信号を用いて前記アナログ信号をＡＤ変換し、前記第１の傾きと前記第３の傾きが異なる、あるいは、前記第２の傾きと前記第４の傾きが異なることを特徴とする。
【手続補正５】
【補正対象書類名】明細書
【補正対象項目名】００１１
【補正方法】削除
【補正の内容】